(57)【要約】【課題】複数のＬＥＤ素子をライン状に整列させて光源を構成する画像読取装置において、ＬＥＤ素子の点灯個数に応じて冷却ファンの回転及び停止を制御することで、冷却ファンの騒音を低減し、電力の浪費を防止する。【解決手段】点光源としての複数のＬＥＤ素子をライン状に整列させて光源を構成する。各ＬＥＤ素子は、制御手段によって個別に制御する。ＬＥＤ素子の点灯個数と光源の温度との関係を、あらかじめ実機を使用した実験によって求め、その結果をテーブルとして、制御手段に格納しておく。ＬＥＤ素子の点灯個数がｃ個以上では部品仕様温度に達するが、ｃ個未満では達しない場合、制御手段は、点灯個数がｃ個未満の場合には、冷却ファンを停止させて、冷却ファンの回転による騒音及び電力消費を低減する。【選択図】図５
2008177664.tif 000002
【特許請求の範囲】
【請求項１】
原稿の画像面を光源によりライン状に照射し、前記ラインと前記原稿とが交差するように前記光源又は前記原稿を移動させ、前記光源から出射されて前記原稿の画像面で反射された反射光を結像レンズを通して固定撮像素子に導く画像読取装置において、
ライン状に整列されて前記光源を構成する点光源としての複数の光源素子と、
前記複数の光源素子の点灯条件を個別に制御する制御手段と、
前記光源素子の点灯に伴う発熱によって昇温する温度管理対象部材を冷却する冷却ファンと、を備え、
前記制御手段は、前記複数の光源素子の点灯個数に応じて、前記冷却ファンの回転及び停止を制御する、
ことを特徴とする画像読取装置。
【請求項２】
前記制御手段は、前記光源素子の点灯時間を計時するタイマ手段を有し、前記タイマ手段の検知結果に基づいて、前記冷却ファンの回転及び停止を制御する、
ことを特徴とする請求項１に記載の画像読取装置。
【請求項３】
前記制御手段は、前記光源素子の点灯電流値を検知する電流検知手段を有し、前記電流検知手段の検知結果に基づいて、前記冷却ファンの回転及び停止を制御する、
ことを特徴とする請求項１又は２に記載の画像読取装置。
【請求項４】
前記制御手段は、前記光源素子の点灯個数が閾値以上の場合には、前記冷却ファンを回転させ、前記光源素子の点灯個数が閾値未満の場合には、前記冷却ファンを停止させる、
ことを特徴とする請求項１に記載の画像読取装置。
【請求項５】
原稿の画像面をライン状に照射する光源と、前記ラインと前記原稿とが直交するように、前記光源又は前記原稿を移動させる移動装置と、前記光源から出射されて前記原稿の画像面で反射された反射光が結像レンズを通って導光される固体撮像素子と、を備えた画像読取装置において、
ライン状に整列されて前記光源を構成する点光源としての複数の光源素子と、
前記複数の光源素子の点灯条件を個別に制御する制御手段と、
前記光源素子の点灯に伴う発熱によって昇温する温度管理対象部材を冷却する冷却ファンと、
前記温度管理対象部材の温度を検知する温度検知手段と、を備え、
前記制御手段は、前記温度検知手段の検知結果が閾値以上の場合には、前記冷却ファンを回転させ、前記温度検知手段の検知結果が閾値未満の場合には、前記冷却ファンを停止させる、
ことを特徴とする画像読取装置。
【請求項６】
原稿の画像面をライン状に照射する光源と、前記ラインと前記原稿とが直交するように、前記光源又は前記原稿を移動させる移動装置と、前記光源から出射されて前記原稿の画像面で反射された反射光が結像レンズを通って導光される固体撮像素子と、を備えた画像読取装置において、
ライン状に整列されて前記光源を構成する点光源としての複数の光源素子と、
前記複数の光源素子の点灯条件を個別に制御する制御手段と、
前記光源素子の点灯に伴う発熱によって昇温する温度管理対象部材を冷却する冷却ファンであって、高速回転と低速回転と停止とに切換可能な冷却ファンと、
前記温度管理対象部材の温度を検知する温度検知手段と、を備え、
前記制御手段は、前記温度検知手段の検知結果が、上限設定温度以上の場合には前記冷却ファンを高速回転させ、前記上限設定温度未満で下限設定温度以上の場合には前記冷却ファンを低速回転させ、前記下限設定温度未満の場合には前記冷却ファンを停止させる、
ことを特徴とする画像読取装置。
【請求項７】
前記光源、前記移動装置、前記結像レンズ、前記固体撮像素子が収納される収納室を備え、
前記温度検知手段が前記収納室内に配設されている、
ことを特徴とする請求項５又は６に記載の画像読取装置。
【請求項８】
前記光源素子が白色ＬＥＤである、
ことを特徴とする請求項１ないし７のいずれか１項に記載の画像読取装置。
【請求項９】
原稿の画像を読み取る画像読取部と、前記画像読取部によって読み取られた原稿の画像情報に基づいてシート上に画像を形成する画像形成部と、前記画像形成部にシートを供給するシート給送部と、を備えた画像形成装置において、
前記画像読取部に、請求項１乃至８のいずれか１項に記載の画像読取装置が配設されている、
ことを特徴とする画像形成装置。
【発明の詳細な説明】
【技術分野】
【０００１】
本発明は、点光源である複数の光源素子をライン状に整列させて光源を構成し、この光源で原稿を照射したときの反射光に基づいて画像を読み取る画像読取装置に関する。
【背景技術】
【０００２】
複写機，プリンタ，ファクシミリ等の画像形成装置に使用される画像読取装置は、光源によって原稿を照射し、その反射光を結像レンズを介して固体撮像素子に導くことで画像を読み取る。この読取方式には、原稿をコンタクトガラス上にセット（固定）して光源を移動させる固定読みと、光源を固定して原稿を例えば自動原稿給送装置によって移動させる（流す）流し読みとがある。
【０００３】
上述の光源、移動装置、結像レンズ、固体撮像素子は、密封された空間（読取空間）内に配設されている。これは、読取空間に入り込んだ塵埃が光路を遮蔽したり、レンズや反射ミラーに付着したりして、縦筋等の異常画像が発生することを防止するためである。このため、光源を点灯すると、光源近傍はもちろん、読取空間内が徐々に昇温していく。特に、流し読みを行うと、光源は一定の位置に配置された状態で、点灯状態を継続するため、急激に温度が上昇する。さらに、近時、画像形成の高速化やカラー化に対応するため、光源として、白色の高輝度光源が搭載される場合があり、このような場合には、冷却手段が必須な構成となってくる。
【０００４】
そこで、特許文献１には、画像読取装置内に、光源を冷却するための冷却ファンを配設し、画像の読取回数に応じて冷却ファンの動作を制御する技術が開示されている。また、特許文献２には、読取連続動作時間に応じて冷却ファンの動作を制御する技術が開示されている。
【特許文献１】特開平６−３２４４０３号公報
【特許文献２】特開２００３−２３５１４号公報
【発明の開示】
【発明が解決しようとする課題】
【０００５】
しかしながら、上述の特許文献１，２の光源は、キセノンランプ等の棒状の光源であるため、例えば、原稿の通紙幅が短い場合であっても、ランプ全体を点灯させなければならない。つまり、光源は、点灯（オン）か消灯（オフ）かの制御しかできない。このため、例えば、通紙幅が短い原稿を連続で読み取るような場合であっても、ランプ全体を点灯させることが必要となり、温度上昇が激しいため、冷却ファンを高い冷却能力で、長時間、運転する必要があった。このため、冷却ファンの動作音が大きい、電力が浪費される等の問題があった。
【０００６】
そこで、本発明は、複数の光源素子を使用する画像読取装置において、光源の点灯個数に応じて、冷却ファンの運転制御を変更し、もって冷却ファンの動作音を低減し、また電力の浪費を防止するようにした画像読取装置及びそれを備えた画像形成装置を提供することを目的とするものである。
【課題を解決するための手段】
【０００７】
請求項１に係る発明は、原稿の画像面を光源によりライン状に照射し、前記ラインと前記原稿とが交差するように前記光源又は前記原稿を移動させ、前記光源から出射されて前記原稿の画像面で反射された反射光を結像レンズを通して固定撮像素子に導く画像読取装置に関する。この発明に係る画像読取装置は、ライン状に整列されて前記光源を構成する点光源としての複数の光源素子と、前記複数の光源素子の点灯条件を個別に制御する制御手段と、前記光源素子の点灯に伴う発熱によって昇温する温度管理対象部材を冷却する冷却ファンと、を備え、前記制御手段は、前記複数の光源素子の点灯個数に応じて、前記冷却ファンの回転及び停止を制御する、ことを特徴としている。
【０００８】
請求項２に係る発明は、請求項１に係る画像読取装置において、前記制御手段は、前記光源素子の点灯時間を計時するタイマ手段を有し、前記タイマ手段の検知結果に基づいて、前記冷却ファンの回転及び停止を制御する、ことを特徴としている。
【０００９】
請求項３に係る発明は、請求項１又は２に係る画像読取装置において、前記制御手段は、前記光源素子の点灯電流値を検知する電流検知手段を有し、前記電流検知手段の検知結果に基づいて、前記冷却ファンの回転及び停止を制御する、ことを特徴としている。
【００１０】
請求項４に係る発明は、請求項１に係る画像読取装置において、前記制御手段は、前記光源素子の点灯個数が閾値以上の場合には、前記冷却ファンを回転させ、前記光源素子の点灯個数が閾値未満の場合には、前記冷却ファンを停止させる、ことを特徴としている。
【００１１】
請求項５に係る発明は、原稿の画像面をライン状に照射する光源と、前記ラインと前記原稿とが直交するように、前記光源又は前記原稿を移動させる移動装置と、前記光源から出射されて前記原稿の画像面で反射された反射光が結像レンズを通って導光される固体撮像素子と、を備えた画像読取装置に関する。この発明に係る画像読取装置は、ライン状に整列されて前記光源を構成する点光源としての複数の光源素子と、前記複数の光源素子の点灯条件を個別に制御する制御手段と、前記光源素子の点灯に伴う発熱によって昇温する温度管理対象部材を冷却する冷却ファンと、前記温度管理対象部材の温度を検知する温度検知手段と、を備え、前記制御手段は、前記温度検知手段の検知結果が閾値以上の場合には、前記冷却ファンを回転させ、前記温度検知手段の検知結果が閾値未満の場合には、前記冷却ファンを停止させる、ことを特徴としている。
【００１２】
請求項６に係る発明は、原稿の画像面をライン状に照射する光源と、前記ラインと前記原稿とが直交するように、前記光源又は前記原稿を移動させる移動装置と、前記光源から出射されて前記原稿の画像面で反射された反射光が結像レンズを通って導光される固体撮像素子と、を備えた画像読取装置に関する。この発明に係る画像読取装置は、ライン状に整列されて前記光源を構成する点光源としての複数の光源素子と、前記複数の光源素子の点灯条件を個別に制御する制御手段と、前記光源素子の点灯に伴う発熱によって昇温する温度管理対象部材を冷却する冷却ファンであって、高速回転と低速回転と停止とに切換可能な冷却ファンと、前記温度管理対象部材の温度を検知する温度検知手段と、を備え、前記制御手段は、前記温度検知手段の検知結果が、上限設定温度以上の場合には前記冷却ファンを高速回転させ、前記上限設定温度未満で下限設定温度以上の場合には前記冷却ファンを低速回転させ、前記下限設定温度未満の場合には前記冷却ファンを停止させる、ことを特徴としている。
【００１３】
請求項７に係る発明は、請求項５又は６に係る画像読取装置において、前記光源、前記移動装置、前記結像レンズ、前記固体撮像素子が収納される収納室を備え、前記温度検知手段が前記収納室内に配設されている、ことを特徴としている。
【００１４】
請求項８に係る発明は、請求項１ないし７のいずれか１項に係る画像読取装置において、前記光源素子が白色ＬＥＤである、ことを特徴としている。
【００１５】
請求項９に係る発明は、原稿の画像を読み取る画像読取部と、前記画像読取部によって読み取られた原稿の画像情報に基づいてシート上に画像を形成する画像形成部と、前記画像形成部にシートを供給するシート給送部と、を備えた画像形成装置に関する。この発明に係る画像形成装置は、前記画像読取部に、請求項１乃至８のいずれか１項に記載の画像読取装置が配設されている、ことを特徴としている。
【発明の効果】
【００１６】
請求項１の発明によれば、光源は、複数の光源素子をライン状に整列させることで構成されていて、光源素子の点灯個数は、制御手段によって制御される。ここで、光源は、光源素子の点灯個数が多いほど、発熱量が多く、温度が高くなる。これに伴って、光源の周囲の雰囲気、あるいは温度管理対象部材の温度も高くなる。ここで、温度管理対象部材とは、光源自体や光源を構成する基板、光源に近接して配設されていて上限温度として仕様温度が設定されている他の部材（例えば、コンタクトガラス）等のことをいう。制御手段は、光源素子の点灯個数に応じて、冷却ファンの回転及び停止を制御することで、冷却ファンを不要に回転させないようにする。これにより、冷却ファンの騒音を低減し、また、冷却ファンを回転させるための電力の浪費を防止することができる。
【００１７】
請求項２の発明によれば、例えば、光源素子の点灯個数が同じであったとしても、その点灯時間が違えば、雰囲気あるいは温度管理対象部材の温度の上昇の仕方が異なる。そこで、光源素子の点灯個数及び点灯時間に応じて、冷却ファンの回転及び停止を制御して、必要以上に冷却ファンを回転させないようにすることで、騒音を低減し、また、電力の浪費を防止することができる。
【００１８】
請求項３の発明によれば、例えば、光源素子の点灯個数や、点灯個数及び点灯時間が同じであったとしても、その点灯電流値が違えば、温度の上昇の仕方が異なる。そこで、光源素子の点灯個数及び点灯電流値、又は点灯個数及び点灯時間及び点灯電流値に応じて、冷却ファンの回転及び停止を制御して、必要以上に冷却ファンを回転させないようにすることで、騒音を低減し、また、電力の浪費を防止することができる。
【００１９】
請求項４の発明によれば、光源素子の点灯個数の閾値をあらかじめ、実験等によって設定しておく。このときに閾値として、例えば、点灯個数が閾値以上の場合には、温度管理対象部材の温度が所定の温度以上に達し、閾値未満では所定の温度に達しないように設定する。これにより、光源素子の点灯個数が閾値未満の場合には、冷却ファンを停止させることで、騒音を低減し、また、電力の浪費を防止することができる。
【００２０】
請求項５の発明によれば、温度検知手段が検知する温度管理対象部材の温度が閾値以上の場合には、冷却ファンを回転させ、閾値に満たない場合には、冷却ファンを停止させる。つまり、温度管理対象部材の温度を直接、検知してその温度に基づいて冷却ファンの回転又は停止を制御するので、例えば、環境温度が大きく変化したような場合であっても、冷却ファンを必要以上に回転させることを防止して、冷却ファンの騒音を低減し、また、電力の浪費を防止することができる。
【００２１】
請求項６の発明によれば、記温度検知手段の検知結果が、上限設定温度以上の場合には冷却ファンを高速回転させ、上限設定温度未満で下限設定温度以上の場合には低速回転させ、下限設定温度未満の場合には停止させる。つまり、上限設定温度未満で下限設定温度以上に、冷却ファンを低速回転させる領域を設けることで、冷却ファンを高速回転させる必要がない場合には、高速回転に代えて、低速回転を行う。これにより、冷却ファンの騒音を低減するともの、電力の浪費を防止することができる。
【００２２】
請求項７の発明によれば、温度検知手段は、収納室内に配置されているので、その検知結果は、温度管理対象部材や収納室内の雰囲気の温度をよく反映させることができる。
【００２３】
請求項８の発明によれば、光源素子は、白色ＬＥＤであるので、他の色のＬＥＤ光源と比較して、カラーの画像読取りや高速での画像読取りに適している反面、その点灯によって温度が上昇しやすい。そこで、このような白色ＬＥＤを光源にもつ画像読取装置に本発明を適用することで、冷却ファンの騒音の低減と、電力の浪費の抑制とに、一層、効果的である。
【００２４】
請求項９の発明によれば、画像読取装置における上述の請求項１〜８の効果を、画像形成装置として奏することができる。
【発明を実施するための最良の形態】
【００２５】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
【００２６】
＜実施形態１＞
図１〜図４を参照して、本発明に係る画像読取装置１１について説明する。本実施形態では、ＬＥＤ素子の点灯個数に応じて、冷却ファンの運転制御の変更、すなわち冷却ファンの回転及び停止の選択を行う場合について説明する。
【００２７】
図１〜図４のうち、図１，図２は、画像読取装置１１の縦断面を正面側（前側）から見た図であり、さらに、図１は光学系を、また図２は駆動系を説明する図である。図３，図４は、光源１２と原稿のサイズと画像読取時の原稿の位置との関係を説明する上面図であり、さらに、図３は原稿サイズがＡ列，Ｂ列である場合、また図４は原稿サイズがインチサイズである場合を示している。なお、以下の説明では、図１〜図４中における左右を、画像読取装置１１の左右として、また図１，図２中における上下を、画像読取装置１１の上下として、また図３，図４中における下、上をそれぞれ画像読取装置１１の前、後として説明する。さらに、図３，図４中における原稿の上下方向の長さを通紙幅（又は単に「幅」）、左右方向の長さを搬送方向長さ（又は単に「長さ」）とする。
【００２８】
図２に示すように、画像読取装置１１は、照明装置１０と結像レンズ１３とＣＣＤ（固体撮像素子）１４とを備えている。さらに、照明装置１０は、光源１２と駆動装置（移動装置）１５とを備えている。これら光源１２、駆動装置１５、照明装置１０、結像レンズ１３、ＣＣＤ１４は、いずれも直方体状の筐体（フレーム）１６の内側の収納室Ｓに配設されている。筐体１６は、その上面に開口部１７を有していて、この開口部１７には、透明なコンタクトガラス１８が配設されている。後述するように、原稿Ｇを固定読みする際には、原稿Ｇがこのコンタクトガラス１８上に、後端基準で載置される。コンタクトガラス１８の左端には、後述する左指示板２０が配設されていて、この左指示板２０の左側には、原稿Ｇの流し読み（後述）時に使用されるコンタクトガラス１８ａが配設されている。
【００２９】
図３，図４に示すように、コンタクトガラス１８は、その上面に載置されるシート状の原稿Ｇのうちの、サイズが最大な原稿Ｇよりも大きい長方形状に形成されている。コンタクトガラス１８における、左端には前後方向に長い左指示板２０が、また後端及び前端には、それぞれ左右方向に長い後指示板２１、前指示板２２が配設されている。左指示板２０の後端と後指示板２１の左端とが交差する位置が、読取基準位置Ｐ０１となっている。コンタクトガラス１８に載置される原稿Ｇは、その１つの角部、すなわち左端でかつ後端に位置する角部（基準の角部）をこの読取基準位置Ｐ０１に合わせた位置（所定の位置）に、いわゆる後端基準で載置される。
【００３０】
図３，図４においては、基準の角部を読取基準位置Ｐ０１に合わせた状態の種々のサイズの原稿Ｇを図示している。ここで、各サイズの原稿Ｇにおける、基準の角部の対角に相当する位置には、それぞれの原稿Ｇのサイズ、及び向きを表示してある。例えば、図３中のＢ５，Ａ４は、それぞれの原稿Ｇにおける「長辺」を左指示板２０に合わせたときの原稿の位置を示す。以下、これを原稿Ｇの「横置き」という。また、Ｂ５Ｒ，Ａ４Ｒは、それぞれの原稿Ｇにおける「短辺」を左指示板２０に合わせたときの原稿Ｇの位置を示している。以下、この「Ｒ」が付されたものを原稿の「縦置き」といって、「横置き」とは区別している。なお、これに従うと、図３中の「Ｂ４」，「Ａ３」については、本来、「Ｂ４Ｒ」，「Ａ３Ｒ」と表記すべきものであるが、これらのサイズの原稿Ｇは、横置きすることができず、つまり、一通りの置き方しかできず、区別する必要がないので、簡略化して表記している。
【００３１】
上述の「Ｂ５」，「Ｂ５Ｒ」，「Ａ４」，「Ａ４Ｒ」，「Ｂ４」，「Ａ３」等の表記は，実際は、コンタクトガラス１８上ではなく、左指示板２０及び後指示板２１に表記されている。例えば、左指示板２０における符号Ｐ１，Ｐ２，Ｐ３，Ｐ４で示す位置には、この順に「Ｂ５Ｒ」，「Ａ４Ｒ」，「Ｂ５，Ｂ４」，「Ａ４，Ａ３」という表記なされている。一方、後指示板２１における符号Ｐ５，Ｐ６，Ｐ７，Ｐ８で示す位置には、この順に「Ｂ６Ｒ，Ｂ５」，「Ａ５Ｒ，Ａ４」，「Ｂ５Ｒ」，「Ａ４Ｒ」という表記がなされている。これにより、ユーザは、原稿Ｇをコンタクトガラス１８上の所定の位置に載置したときに、その原稿サイズ及び向きを知ることができる。したがって、例えば、原稿Ｇの画像読取り結果に基づいて複写機やプリンタによって紙等のシート上に画像を形成するような場合には、画像形成に供されるシートのサイズや向きを選択する際の参考とすることができる。なお、図４中では、原稿サイズを、インチサイズで表示している。図３中のコンタクトガラス１８における、「Ａ４，Ａ３」の通紙幅よりも少し狭い幅が、画像の最大読取幅（最大照射幅）となり、また図３中のコンタクトガラス１８における、「Ａ３」の搬送長さよりも少し長い範囲が、画像の最大読取長さ（最大照射長さ）となる。後述する光源１２は、最大読取幅と最大読取長さとに囲まれた最大読取領域全体を照射することができるようになっている。
【００３２】
図１〜図４に示すように、コンタクトガラス１８の左端側の下方には、照明用光学移動枠ユニット２３が配設されている。照明用光学移動枠ユニット２３は、上述の最大読取幅よりも前後方向の長さが長い移動枠２４を有している。この移動枠２４には、光源１２が取り付けられた光源用メイン基板（基板）２５と、凹面鏡２６と、第１ミラー２７が搭載されている。このうち光源用メイン基板２５は、図３，図４に示すように、前後方向の長さが、最大読取幅よりも長くなるように形成されていて、その上面には、光源１２及び導光レンズ１９が取り付けられている。本実施形態では、光源１２は、点光源であるＬＥＤ素子Ｌ１〜Ｌ２２を複数（図３，図４では２２個）、前後方向にライン状に整列させて構成している。ここで、ライン状とは、１本の直線上に整列された場合に限らず、例えば千鳥状に整列して、実質的に直線状である場合も含めるものとする。これらＬＥＤ素子Ｌ１〜Ｌ２２は、ライン方向（前後方向）に沿って原稿の画像面をむら無く照射できる所定のピッチＰ（本実施形態では１５ｍｍ）で整列されている。図３，図４において、最後端のＬＥＤ素子Ｌ１の中心から、最前端のＬＥＤ素子Ｌ２２の中心までの距離が、３１５ｍｍ（＝１５ｍｍ×２１）に設定されていて、これらＬＥＤ素子Ｌ１とＬＥＤ素子Ｌ２２との間に、図３に示す例では、通紙幅が最大のＡ４サイズの原稿の長辺（＝２９７ｍｍ）、またはＡ３サイズの原稿の短辺（＝２９７ｍｍ）が入るように、また図４に示す例では、長辺又は短辺の長さが１１インチ（≒２７９ｍｍ）の原稿の長辺又は短辺が入るように設定されている。複数のＬＥＤ素子Ｌ１〜Ｌ２２によって構成された光源１２は、図１に示すように、コンタクトガラス１８の上面に設定されている読取ラインＬを右斜め下方から照射するようになっている。これらＬＥＤ素子Ｌ１〜Ｌ２２は、図１に示す制御手段７０によって、個別に点灯（オン）及び消灯（オフ）が制御される。また、そのタイミングについても個別に制御されるようになっている。
【００３３】
図１に示すように、凹面鏡２６は、読取ラインＬから下ろした垂線に対して、上述の光源１２とほぼ線対称の位置に配置されている。上述のように、光源１２は、コンタクトガラス１８上の原稿Ｇを右斜め下方から照射しているため、原稿の左端に影が形成されて、この影が前後方向の直線上の画像として読み込まれがちである。凹面鏡２６は、光源１２からの光を反射して読取ラインＬに導いて、この影を除去するためのものである。照明用光学移動枠ユニット２３における、読取ラインＬの直下に位置する部分には、第１ミラー２７が配設されている。第１ミラー２７は、左斜め上の４５度を向けた状態で取り付けられている。以上のように、照明用光学移動枠ユニット２３は、移動枠２４に光源１２、光源用メイン基板２５、凹面鏡２６、第１ミラー２７を搭載した状態で、左右方向に敷設した光学レール（ガイド部材）２９に沿って左右方向に移動できる。つまり、ライン状（線状）の光源１２に対して、直交する方向に移動することができるようになっている。この照明用光学移動枠ユニット２３は、右方に移動しながら読取ラインＬに向けて光源１２から光を照射し、原稿の画像面からの反射光を次に説明する第２ミラー２８に導くものである。
【００３４】
図１，図２に示すように、コンタクトガラス１８の左端側の下方には、上述の照明用光学移動枠ユニット２３の左方に、反射用光学移動枠ユニット３０が配設されている。反射用光学移動枠ユニット３０は、上述の最大読取幅よりも前後方向の長さが長い移動枠３１を有している。この移動枠３１には、右斜め下４５度を向けた状態で第２ミラー２８が、また右斜め上４５度を向けた姿勢で第３ミラー３２が搭載されている。さらに、この移動枠３１は、その前端と後端とにおいて、可動プーリ３３を回動自在に支持している。以上のように、反射用光学移動枠ユニット３０は、第２ミラー２８、第３ミラー３２、可動プーリ３３を搭載した状態で、左右方向に敷設された光学レール（ガイド部材）２９に沿って左右方向に移動できるようになっている。この反射用光学移動枠ユニット３０は、右方に移動しながら、上述の照明用光学移動枠ユニット２３の第１ミラー２７からの光を第２ミラー２８、第３ミラー３２で反射して後述の結像レンズ１３に導くものである。
【００３５】
図２に示すように、筐体１６の左端近傍には前端と後端とに固定左プーリ３４，３４が、また筐体１６の右端近傍には前端と後端とに固定右プーリ３５，３５がそれぞれ回動自在に配設されている。また、図２中の固定右プーリ３５，３５の下方には、正逆回転可能なモータ３６が配設されている。さらに、モータ３６の左方には、駆動軸３７と一体の駆動プーリ３８が配設されていて、モータ３６の出力軸４０と駆動プーリ３８との間には、駆動ベルト４１が張設されている。駆動軸３７の前端と後端とには、ワイヤドラム４２，４２が固定されており、これらワイヤドラム４２，４２には、それぞれ光学ワイヤ４３，４３が巻き掛けられている。これら光学ワイヤ４３，４３の一方の端部４４，４４は、筐体１６の左側壁４５の内面に固定されている。光学ワイヤ４３，４３は、ここから右方に延びて、反射用光学移動枠ユニット３０の可動プーリ３３，３３の右半部に掛け渡されて左方に折り返し、固定左プーリ３４，３４の左半部に掛け渡された後、右方に折り返して固定右プーリ３５，３５に向かって延びる。さらに、固定右プーリ３５，３５の右半部に掛け渡されて左方に延び、途中で照明用光学移動枠ユニット２３に固定された後、さらに左方に延びて、可動プーリ３３，３３の左半部に掛け渡されて右方に折り返し、レンズ取付台４６上に突設されたフック４７に係止される。このような光学ワイヤ４３，４３の引き回しに基づき、モータ３６が図２中の反時計回りに回転すると、駆動ベルト４１、駆動プーリ３８、駆動軸３７を介して、ワイヤドラム４２，４２が同じく反時計回りに回転する。これに伴い、光学ワイヤ４３，４３に引かれて、照明用光学移動枠ユニット２３及び反射用光学移動枠ユニット３０が右方に移動する。この際、反射用光学移動枠ユニット３０は、その可動プーリ３３，３３がいわゆる動滑車として作用するため、移動距離が照明用光学移動枠ユニット２３の移動距離の半分となる。これにより、照明用光学移動枠ユニット２３及び反射用光学移動枠ユニット３０の移動にかかわらず、コンタクトガラス１８から結像レンズ１３に至る光路長が一定に保持されて、次に説明する結像レンズ１３を通過した光がＣＣＤ１４上で像を結ぶようになっている。なお、本実施形態では、上述のように光源１２を移動させるための構成全体が駆動装置（移動装置１５）に相当する。
【００３６】
図２に示すように、結像レンズ１３は、上述のレンズ取付台４６に固定されたレンズ取付板４８上に固定されている。光源１２から照射された光は、原稿Ｇの画像面で反射されて、同図に示す光路Ｋをたどる。すなわち、画像面からの反射光は、第１ミラー２７、第２ミラー２８、第３ミラー３２で反射されて結像レンズ１３に入射される。入射された光は、次に説明するＣＣＤ１４上で結像される。
【００３７】
ＣＣＤ１４は、その左端面に固定されて上端部５０が左方に折曲されたＣＣＤ取付板５１を介して、上述のレンズ取付台４６に固定された「コ」字形のＣＣＤ調整板５２に取り付けられている。ＣＣＤ調整板５２の前端部と後端部には、内径に雌ねじが螺刻されたボス５３，５３が固定されていて、これらのボス５３，５３には、ＣＣＤ取付板５１の上端部５０を貫通したピン５４，５４が螺合されている。さらに、ＣＣＤ取付板５１とＣＣＤ調整板５２との間には、圧縮ばね５５，５５が介装されていて、ＣＣＤ取付板５１を上方に付勢している。この状態で、ピン５４，５４を時計回りあるいは反時計回りに回すことで、ＣＣＤ取付板５１を介してＣＣＤ１４の高さ位置を微調整することができる。この微調整をＣＣＤ１４の前端部及び後端部で行うことで、ＣＣＤ１４の上下方向の位置調整を行うことができるようになっている。
【００３８】
本実施形態では、画像読取装置１１は、図２に示すように、原稿Ｇの流し読み時の移動装置に相当する自動原稿給送装置６０を備えている。自動原稿給送装置６０全体は、後端側が、筐体１６におけるコンタクトガラス１８の後方に位置する部分によって揺動自在に支持されており、前端側がほぼ上下方向に開閉自在になっている。自動原稿給送装置６０は、原稿Ｇの搬送方向に沿っての上流側から順に配設された給紙トレイ６１、搬送ローラ６２、排紙ガイド６３、排紙トレイ６４等を備えている。このうち排紙ガイド６３は、上述の左指示板２０の左端側の上面に、右上がりの傾斜面として形成されている。
【００３９】
給紙トレイ６１には、載置された原稿Ｇの後端及び前端（原稿Ｇの搬送方向に向かってみた場合の左端及び右端）の位置を規制するサイド規制板６５，６６が前後方向（原稿Ｇの先端における通紙幅方向）に移動自在に配設されている。これらサイド規制板６５，６６の間には、例えば、ラック＆ピニオン等の連動機構（不図示）が介装されていて、給紙トレイ６１の通紙幅方向の中心に向けて一方のサイド規制板６５（又は６６）を移動させると、他方のサイド規制板６６（又は６５）も同様に中心に向かって移動し、また、この逆に、一方のサイド規制板６５（又は６６）を中心から遠ざかる方向に移動させると、他方のサイド規制板６６（又は６５）も同様に中心から遠ざかる方向に移動する。つまり、給紙トレイ６１上に原稿Ｇを載置した後、サイド規制板６５，６６をそれぞれ原稿Ｇの後端及び前端に押し当てることにより、通紙幅の異なる種々の原稿Ｇを給紙トレイ６１の通紙幅方向の中央に配置することができる。すなわち、自動原稿給送装置６０を使用して原稿Ｇを流し読みする場合には、原稿Ｇは中央基準で読み取られるようになっている。
【００４０】
給紙トレイ６１には、載置された原稿Ｇの通紙幅を検知するためのサイズ検知センサ（不図示）が配置されている。上述のように、給紙トレイ６１に載置された原稿Ｇは、サイド規制板６５，６６がそれぞれ後端，前端に当接されることで、給紙トレイ６１の前後方向の中央に位置決めされる。サイズ検知センサは、このときのサイド規制板６５，６６の位置を検知することで、原稿Ｇの通紙幅を検知することができる。
【００４１】
上述構成の画像読取装置１１は、原稿Ｇの画像を読み取る際に、原稿Ｇを固定して光源１２を移動させる固定読みと、光源１２を固定して原稿Ｇを移動させる流し読みとの双方を行うことができる。また、いずれの場合も、原稿Ｇの照射に必要なＬＥＤ素子のみが点灯され、照射に寄与しないＬＥＤ素子は消灯されるようになっている。
【００４２】
前者の固定読みに際しては、自動原稿給送装置６０を開放して、原稿Ｇをコンタクトガラス１８上にセットする。このとき、原稿Ｇの左端を左指示板２０に当接させ、また後端を後指示板２１に当接させて後端基準でセットする。自動原稿給送装置６０を原稿Ｇの上から閉鎖すると、
一旦、光源１２のすべてのＬＥＤ素子Ｌ１〜Ｌ２２が点灯され、原稿Ｇからの反射光がＣＣＤ１４に入射される。このときの通紙幅方向に沿っての入射光の違いに基づいて、原稿Ｇのサイズ（通紙幅）が検知される。制御手段７０は、この検知結果に基づいて、画像読取りの際に点灯されるＬＥＤ素子を決定する。例えば、後端基準でコンタクトガラス１８にセットされた原稿が、Ａ４の縦（長方形の長辺が長手方向と一致する）の場合には、上述のように、ＬＥＤ素子Ｌ１〜Ｌ１６の合計１６個のＬＥＤ素子が点灯されることになる。
【００４３】
つづいて、作業者が筐体１６に取り付けられている操作パネル（不図示）を操作して読取開始ボタン（不図示）を押す。これにより、照明用光学移動枠ユニット２３が原稿Ｇの左端よりも左側の読取開始位置に配置され、ここから右方に移動する。これに伴い、照明用光学移動枠ユニット２３に搭載されている光源１２が原稿Ｇの画像面を読取ラインＬに沿って照射（主走査）しながら、右方に移動して副走査し、原稿Ｇの画像面をその全領域にわたって、光照射する。画像面からの反射光は、さらに第１ミラー２７，第２ミラー２８，第３ミラー３２で反射され、結像レンズ１３を介して、ＣＣＤ１４に導かれる。これにより、原稿Ｇの画像面が全領域にわたって読み取られる。
【００４４】
一方、後者の流し読みに際しては、自動原稿給送装置６０を閉鎖した状態で、給紙トレイ６１上に原稿Ｇをその画像面を上に向けた状態で載置し、原稿Ｇの後端及び前端にサイド規制板６５，６６を当接させることで、原稿Ｇを給紙トレイ６１の中央にセットする。これにより、原稿Ｇの通紙幅が検知される。操作パネルの読取開始ボタンを押すと、照明用光学移動枠ユニット２３が左指示板２０の左側のコンタクトガラス１８ａの画像読取部Ｒの下方の読取位置に移動する。給紙トレイ６１上の原稿Ｇは、搬送ローラ６２等によって画像読取部Ｒに搬送される。このとき、光源１２から照射された照射光は、画像読取部Ｒを通過する原稿Ｇの画像面によって反射され、上述の固定読みの場合と同様、第１ミラー２７，第２ミラー２８，第３ミラー３２で反射され、結像レンズ１３を介して、ＣＣＤ１４に導かれる。これにより、原稿Ｇの画像面が全領域にわたって読み取られる。流し読みに際し、例えば、原稿ＧがＡ４の縦通しの場合には、ＬＥＤ素子Ｌ１〜Ｌ２２のうち、中央側のＬＥＤ素子Ｌ４〜ＬＥＤ素子Ｌ１９が点灯され、外側のＬＥＤ素子Ｌ１〜Ｌ３及びＬＥＤ素子Ｌ２０〜Ｌ２２は消灯される。
【００４５】
本実施形態では、点光源であるＬＥＤ素子Ｌ１〜Ｌ２２は、図１に示す制御手段７０によって、点灯条件を個別に制御することができるようになっている。本実施形態では、点灯条件とは、ＬＥＤ素子の点灯個数のことをいい、点灯個数及びどのＬＥＤ素子が点灯されるかは、制御手段７０によって制御される。
【００４６】
図３に示す固定読みの例では、制御手段７０は、以下のサイズの原稿Ｇに対して、以下のＬＥＤ素子を点灯させるようにしている。
【００４７】
Ａ６Ｒ：ＬＥＤ素子Ｌ１〜Ｌ９
Ｂ６Ｒ：ＬＥＤ素子Ｌ１〜Ｌ１１
Ａ５Ｒ：ＬＥＤ素子Ｌ１〜Ｌ１２
Ｂ５Ｒ：ＬＥＤ素子Ｌ１〜Ｌ１４
Ａ４Ｒ：ＬＥＤ素子Ｌ１〜Ｌ１６
Ｂ５，Ｂ４：ＬＥＤ素子Ｌ１〜Ｌ１９
Ａ４，Ａ３：ＬＥＤ素子Ｌ１〜Ｌ２２。
【００４８】
逆に言うと、上述のＬＥＤ素子以外のＬＥＤ素子、つまり原稿の照射に寄与しないＬＥＤ素子は、消灯するようにしている。上述の例では、ＬＥＤ素子Ｌ１〜Ｌ９は、いずれのサイズ（通紙幅）の原稿Ｇに対しても点灯することになり、原稿Ｇのサイズが大きくなるほど、点灯させるＬＥＤ素子が多くなることがわかる。上述のように、原稿Ｇの読取に寄与しないＬＥＤ素子は、消灯するようにすることにより、光源１２及びその近傍の昇温を抑制するとともに、電力の浪費を防止するようにしている。
【００４９】
流し読みの場合も同様に、原稿Ｇの通紙幅に対応するＬＥＤ素子のみを点灯し、それ以外の照射に寄与しないＬＥＤ素子は消灯するようにしている。流し読みでは、原稿Ｇは、中央基準で給紙トレイ６１上にセットされ、ＬＥＤ素子Ｌ１〜Ｌ２２の中央を通過するので、原稿Ｇのサイズ（通紙幅）にかかわらず、原稿Ｇに対応する中央側のいくつかのＬＥＤ素子は常時点灯され、それ以外の外側（前側及び後側）のＬＥＤ素子が消灯される。そして、原稿Ｇの通紙幅が広くなるほど、点灯されるＬＥＤ素子が増加することになる。
【００５０】
本実施形態では、ＬＥＤ素子Ｌ１〜Ｌ２２として、白色ＬＥＤ素子を使用した。白色ＬＥＤ素子は、カラーの原稿Ｇの読取りや高速での原稿Ｇの読取りに適しているが、高輝度であるため、点灯時の発熱量が多いという欠点がある。
【００５１】
そこで、本実施形態では、図１に示すように、ＬＥＤ素子Ｌ１〜Ｌ２２及びこれによって熱せられる他部材（温度管理対象部材）、例えば光源用メイン基盤２５やコンタクトガラス１８，１８ａを冷却するために、冷却ファン７１として給気ファン７２及び排気ファン７３を設けた。ところで、冷却ファン７１を回転させると、騒音が発生し、また、電力を消費することになる。したがって、冷却ファン７１の運転は、必要最小限とすることが好ましい。以下では、この前提に基づいて、制御手段７０により、冷却ファン７１の運転制御を行うようにしている。
【００５２】
図１に示す例では、冷却ファン７１として、筐体１６の左側壁４５に給気ファン７２を設け、また筐体１６の底板７４に排気ファン７３を設けている。前後方向の位置については、給気ファン７２、排気ファン７３のいずれも左側壁４５、底板７４のほぼ中央に設けた。その理由は、給気ファン７２及び排気ファン７３によって形成される空気の流れが、前後方向に長い光源１２の中央近傍で最も円滑に流れるようにするためである。すなわち、複数枚の原稿Ｇの画像を連続的に読み取る際には、主に自動原稿給送装置６０を使用することになり、この場合には、原稿Ｇが中央基準で読み取られるために、ＬＥＤ素子Ｌ１〜Ｌ２２のうち、中央側に位置するＬＥＤ素子が連続的に使用されて、光源１２は、中央側で昇温が激しくなるからである。給気ファン７２には、筐体１６の内側の収納室Ｓに塵埃が入り込むことを防止するために、フィルタ７５が取り付けられている。収納室Ｓに塵埃が入り込むと、塵埃が第１ミラー２７，第２ミラー２８，第３ミラー３２や結像レンズ１３に付着して光路を遮断するため、画像に黒筋ができたりするおそれがあるからである。
【００５３】
冷却ファン７１は、上述のＬＥＤ素子Ｌ１〜Ｌ２２の点灯個数を制御する制御手段７０によって運転制御される。すなわち、冷却ファン７１の回転及び停止は、制御手段７０によって決定される。
【００５４】
図５に示すように、あらかじめ、ＬＥＤ素子の点灯個数と温度との相関関係を実機を使用した実験によって求めておく。ここで、一例として、温度管理対象部材としての光源１２の、部品仕様温度が６０ｄｅｇであるものとする。「ｄｅｇ」は、常温での光源１２の温度を０ｄｅｇとしたときの、常温との差を表す。光源１２を構成する２２個のＬＥＤ素子Ｌ１〜Ｌ２２のうち、点灯個数がａ個，ｂ個，ｃ個（ただし、ａ＜ｂ＜ｃ≦２２）の場合の、点灯時間と温度との相関関係を実験等によって求める。ここでは、実験の結果、ＬＥＤ素子の点灯個数がａ個及びｂ個の場合は、連続して点灯させた場合でも部品仕様温度の６０ｄｅｇに達することはないが、点灯個数がｃ個の場合には、点灯開始から時間ｔ１経過後に部品仕様温度の６０ｄｅｇを超えてしまった。
【００５５】
そこで、ＬＥＤ素子の点灯条件としての点灯個数の閾値をｃ個に設定し、これを制御手段７０の記憶手段７０ｂに格納しておく。制御手段７０は、原稿Ｇの固定読み又は流し読み時にサイズ検知センサ等によって検知された通紙幅に基づいて、原稿Ｇを照射するＬＥＤ素子の点灯個数を決定し、その点灯個数と記憶手段７０ｂに格納されている閾値とを比較する。そして、点灯個数が閾値以上の場合には、冷却ファン７１を回転させ、閾値未満の場合には、冷却ファン７１を停止させる。
【００５６】
ここで、冷却ファン７１の回転開始のタイミングとしては、ＬＥＤ素子の点灯開始と同時とし、また回転停止のタイミングとしては、ＬＥＤ素子の消灯時とする。この場合、制御手段７０には、冷却ファン７１の回転開始、及び回転停止のタイミングを決定するためのタイマ手段７０ａが不要となり、その分、構成を簡略化することができる。
【００５７】
本実施形態によれば、ＬＥＤ素子の点灯個数が閾値未満の場合には、冷却ファン７１を回転させないので、冷却ファン７１の回転時間を少なくして、騒音を抑制するとともに、電力の浪費を低減することができる。
【００５８】
なお、上述では冷却ファン７１としての給気ファン７２を、筐体１６の左側壁４５に配設した場合を例に説明したが、これに代えて、筐体１６の後側壁（不図示）に配設するようにしてもよい。この場合、左右方向の位置については、例えば、が光源１２に対応する位置に配設する。この場合には、給気ファン７２及び排気ファン７３によって収納室Ｓ内に形成される空気の流れが、前後方向に配列された複数のＬＥＤ素子のうちの、後端側に位置する部分から中央側に位置する部分にかけて形成されるので、特に、固定読みをする際に点灯される後端側のＬＥＤ素子を冷却するのに有効である。
【００５９】
また、上述では、冷却ファン７１として、給気ファン７２と排気ファン７３とを有する場合を例に説明したが、例えば、給気ファン７２を省略して排気ファン７３のみとすることも可能である。ただし、この場合には、排気ファン７３を回転させることによって、画像読取装置１１の筐体１６内側の収納室Ｓの内圧が低下して、筐体１６の隙間から空気が入り込み、この際、空気とともに塵埃が収納室Ｓに入り込んで読み込む不良を発生させるおそれがある。従って、上述のように、フィルタ７５を取り付けた給気ファン７２を使用することが好ましい。
【００６０】
＜実施形態２＞
上述の実施形態１では、ＬＥＤ素子の点灯個数に基づいて、冷却ファン７１の回転及び停止を決定した。本実施形態では、これに時間の要素を加え、ＬＥＤ素子の点灯個数及び点灯時間に応じて、冷却ファン７１の回転及び停止を決定するようにした。以下、詳述する。
【００６１】
図６を参照して、本実施形態について説明する。本実施形態では、温度管理対象部材としての光源１２の部品仕様温度（図６中では「仕様」と記載）を６０ｄｅｇとし、温度上昇時のオーバーシュート等を考慮して上限設定温度（図６中では「上限」と記載）を５０ｄｅｇに設定した。また、冷却ファン７１の回転時間を短くする目的で、下限設定温度（図６中では「下限」と記載）を４０ｄｅｇに設定した。
【００６２】
本実施形態においても、あらかじめ、実機による実験によって、点灯個数と時間と温度との相関関係を求めておく。例えば、ＬＥＤ素子の点灯個数がｃ個の場合には、冷却ファン７１を回転させないと、時間ｔ２で上限設定温度に達する。そこで、上限設定温度に達したときに、冷却ファン７１を回転させる。これにより、時間ｔ３には、下限設定温度に達する。下限設定温度に達した時には、冷却ファン７１の回転を停止させる。すると、再び温度が上昇して時間ｔ４に上限設定温度に達する。そこで、冷却ファン７１を回転させる。同様の動作をさらに続けて、冷却ファン７１を回転させる時間ｔ２，ｔ４，ｔ６……及び回転を停止させる時間ｔ３，ｔ５，ｔ７……を求める。なお、冷却ファン７１を回転させることで光源１２の温度が、上限設定温度から下限設定温度まで下がるのに要する時間（ｔ３−ｔ２，ｔ５−ｔ４，……，ｔ（２ｎ＋１）−ｔ２ｎ、ただし、ｎは自然数）は、ほぼ同じである。また、冷却ファン７１の回転を停止させることで、光源１２の温度が、下限設定温度から上限設定温度まで上がるのに要する時間（ｔ４−ｔ３，ｔ６−ｔ５，ｔ（２ｎ＋２）−ｔ（２ｎ＋１）、ただしｎは自然数）もほぼ同じである。したがって、時間ｔ２，ｔ３，ｔ４を求めれば、後の時間ｔ５，ｔ６，ｔ７……については、ほぼ決定することができる。これらの時間ｔ２，ｔ３，ｔ４，……は、点灯個数ｃ個と対応させたテーブルとして、制御手段７０の記憶装置（不図示）にあらかじめ記憶させておく。また、点灯個数がｃ個よりも少ないｂ個についても、同様のデータを取り、点灯個数ｂ個に対応させて制御手段７０の記憶手段７０ｂに格納しておく。さらに、他の点灯個数についても同様に実験して、点灯個数と、冷却ファン７１の回転及び停止の時間とを対応させたテーブルとして、記憶手段７０ｂに格納する。ただし、冷却ファン７１を回転させない場合であっても、上限設定温度に到達しないような、点灯個数については、そのデータを記憶手段７０ｂに格納する必要はない。
【００６３】
画像読取りに際しては、例えば、複数枚の原稿Ｇを連続して流し読みする場合には、上述のように、原稿Ｇの通紙幅が検知され、これに応じて制御手段７０により、使用されるＬＥＤ素子の点灯個数及び位置が決定される。ここで、例えば、点灯個数がｃ個の場合、制御手段７０は、記憶手段７０ｂに格納されているテーブルに基づいて、冷却ファン７１を回転及び停止を制御する。すなわち、ＬＥＤ素子の点灯が開始されてから、時間ｔ２経過後に冷却ファン７１を回転させ、時間ｔ３後に冷却ファン７１を停止させる。さらに、時間ｔ４経過後に回転させ、時間ｔ５経過後に停止させる。以上、同様の運転制御を繰り返す。これにより、ＬＥＤ素子をｃ個点灯させた場合に、光源１２が部品仕様温度の６０ｄｅｇに達することなく、上限設定温度５０ｄｅｇと下限設定温度４０ｄｅｇとの間で、光源１２の温度を効率よく制御することができる。つまり、必要以上に冷却ファン７１を回転させることなく、光源１２の昇温を防止することができる。なお、ＬＥＤ素子の点灯個数がｂ個の場合も同様である。
【００６４】
本実施形態によると、制御手段７０にあらかじめ格納されているテーブルに基づいて、まず、ＬＥＤ素子の点灯個数に応じて、冷却ファン７１を回転させるか否かを決定する。そして、回転させる場合でも、適宜な時間間隔で冷却ファン７１の回転と停止とを繰り返すことで、冷却ファン７１の必要以上の回転をなくして騒音を少なくするとともに、電力の浪費を防止することができる。
【００６５】
本実施形態において、点灯条件として、ＬＥＤ素子の点灯個数及び点灯時間に、さらに点灯電流値を加味するようにしてもよい。ＬＥＤ素子は、点灯電流を多く流すと輝度が高くなり、発熱量が多くなる。そこで、例えば、ＬＥＤ素子を、点灯電流値を変化させて輝度を変えて使用する場合には、あらかじめ図６に示すデータをとる際に、ＬＥＤ素子を実際に使用する輝度で点灯させて、冷却ファン７１を回転させたり、停止させたりする時間についてのデータを取るようにする。これにより、輝度を変化させた場合でも、光源１２の温度を、上限設定温度と下限設定温度との間で、効率よく制御することが可能となる。なお、点灯電流値は、シェーディング補正時のＣＣＤ１４の出力に基づいて検知することができる。この場合には、ＣＣＤ１４が電流検知手段を兼ねることになる。
【００６６】
＜実施形態３＞
本実施形態では、温度検知手段を設け、その検知結果に基づいて、冷却ファンの回転及び停止を行うようにしている。
【００６７】
上述の実施形態１，２で説明したように、光源１２の温度と、ＬＥＤ素子の点灯個数、点灯時間、点灯電流値との間には相関関係があり、実機を使用した実験によってその相関関係を求めることができる。しかしながら、これらは、あくまでも実験によって求めた相関関係であり、実際には、環境温度やＬＥＤ素子の経時劣化等によって相関関係がずれてしまう。
【００６８】
そこで、本実施形態では、温度管理したい部材の温度を実際にサーミスタ（温度検知手段）によって検出し、その検出結果に基づいて制御手段７０が冷却ファン７１の回転及び停止を制御するようにした。本実施形態では、サーミスタは、筐体１６の内側の収納室Ｓ内に配置した。さらに収納室Ｓ内でも、光源１２の点灯時に温度上昇が最も大きいと考えられる、中央のＬＥＤ素子近傍に配置した。
【００６９】
図７に示す例では、温度管理対象部材としての光源１２の部品仕様温度が６０ｄｅｇであり、温度上昇時のオーバーシュートを考慮して、上限設定温度を５０ｄｅｇに設定し、この上限設定温度を閾値として、閾値以上の場合と、閾値未満の場合とで、冷却ファン７１の運転制御を変えるようにしている。なお、図７以降の各フローチャート中の各手順（ステップ）については、単に、「ステップ」という語句を省略して単にＳ１，Ｓ２，……Ｓｎのように記す。
【００７０】
画像読取装置１１による原稿Ｇの画像の読み取りが開始されてから、所定時間（本例では、３０秒）ごとにサーミスタによって温度を検知し、その結果を制御手段７０に送る。制御手段７０は、検知温度が５０ｄｅｇ以上の場合には（図７のＳ１の「ＹＥＳ」）、冷却ファン７１を回転させる（Ｓ２）。一方、上限設定温度の５０ｄｅｇ未満の場合には（Ｓ１の「ＮＯ」）、冷却ファン７１の回転を停止させる。なお、冷却ファン７１を回転させる場合も、停止させる場合も、３０秒ごとに温度検知を行って（Ｓ４）、新たに、回転させるか停止させるかを決めるようにしている。本例では、温度管理対象部材の温度を直接検知し、その検知結果に基づいて、冷却ファン７１の回転及び停止を決定しているので、冷却ファン７１の無駄な回転を少なくすることができる。
【００７１】
図８に示す例では、温度管理対象部材としての光源１２の部品仕様温度が６０ｄｅｇであり、上限設定温度を５０ｄｅｇに設定し、下限設定温度を４０ｄｅｇに設定した場合について説明する。さらに、冷却ファン７１は、回転速度について、全速回転とこれよりも回転数が少ない半速回転とを選択することができるようになっている。なお、冷却ファン７１の回転による騒音を少なくする観点からは、全速回転よりも半速回転の方が好ましいものとして説明する。
【００７２】
画像読取装置１１による原稿Ｇの画像の読み取りが開始されてから、所定時間（本例では、３０秒）ごとにサーミスタによって温度を検知し、その結果を制御手段７０に送る。制御手段７０は、検知温度が５０ｄｅｇ以上の場合には（図８のＳ１１の「ＹＥＳ」）、冷却ファン７１を全速回転させる（Ｓ１２）。一方、上限設定温度の５０ｄｅｇ未満の場合には（Ｓ１１の「ＮＯ」）、さらに検知温度が下限設定温度の４０ｄｅｇ以上か未満かを判断する（Ｓ１３）、その結果、検知温度が下限設定温度の４０ｄｅｇ以上の場合には（図８のＳ１３の「ＹＥＳ」）、冷却ファン７１を半速回転させる（Ｓ１４）。一方、下限設定温度の４０ｄｅｇ未満の場合には（Ｓ１３の「ＮＯ」）、冷却ファン７１を停止させる。なお、上述の冷却ファン７１を全速回転させる場合（Ｓ１２）、半速回転させる場合（Ｓ１４）、停止させる場合（Ｓ１５）のいずれも場合も、３０秒ごとに温度検知を行って（Ｓ１６）、新たに、全速回転させるか半速回転させるか停止されるかを決定するようにしている。本例によると、全速回転をさせる必要がない場合に、半速回転を利用することで、騒音及び電力の浪費を低減することができる。
【００７３】
図９に示す例では、温度管理対象部材としての光源１２の部品仕様温度が６０ｄｅｇであり、上限設定温度を５０ｄｅｇに設定した場合について説明する。また、冷却ファン７１は、回転速度について、全速回転とこれよりも回転数が少ない半速回転とを選択することができるようになっている。なお、冷却ファン７１の回転による騒音を少なくする観点からは、全速回転よりも半速回転の方が好ましいものとして説明する。さらに、図９の例では、ＬＥＤ素子の点灯個数及び点灯電流値に基づいて、予測制御を加味するようにしている。なお、予測制御を行うに先立ち、実機を使用した実験により、点灯条件である点灯個数及び点灯電流値と温度との相関関係を求めておき、その結果をテーブルとして制御手段７０の記憶手段７０ｂに格納しておくものとする。この際、ＬＥＤ素子の点灯個数については、上述のように、原稿Ｇの通紙幅によって決定し、また、点灯電流値については、一般的なシェーディング補正時のＣＣＤ１４の出力値によって決定することができる。
【００７４】
画像読取装置１１による原稿Ｇの画像の読み取りが開始されてから、所定時間（本例では、３０秒）ごとにサーミスタによって温度を検知し、その結果を制御手段７０に送る。制御手段７０は、検知温度が５０ｄｅｇ以上の場合には（図９のＳ２１の「ＹＥＳ」）、冷却ファン７１を全速回転させる（Ｓ２２）。一方、上限設定温度の５０ｄｅｇ未満の場合には（Ｓ２１の「ＮＯ」）、予測制御を行う（Ｓ２３）。すなわち、そのときの点灯条件（点灯個数、点灯電流値）と記憶手段７０ｂ内のテーブルとを比較する（Ｓ２３）。その結果、点灯中に上限設定温度の５０ｄｅｇになると予想される場合には（Ｓ２３の「ＹＥＳ」）、冷却ファン７１を半速回転させる（Ｓ２４）。一方、Ｓ２３において、点灯中に上限設定温度の５０ｄｅｇにはならないと予想される場合には（Ｓ２３の「ＮＯ」）、冷却ファン７１を停止させる（Ｓ２５）。なお、上述の冷却ファン７１を全速回転させる場合（Ｓ２２）、半速回転させる場合（Ｓ２４）、停止させる場合（Ｓ２５）のいずれも場合も、３０秒ごとに温度検知を行って（Ｓ２６）、新たに、全速回転させるか半速回転させるか停止されるかを決定するようにしている。
【００７５】
本例によれば、予測制御を加味することで、冷却ファン７１の停止時間を長くし、また、全速回転に代えて半速回転の時間を長くするようにしている。これにより、冷却ファン７１の回転による騒音を低減し、また、電力消費を抑制することができる。
【００７６】
なお、図９に示す例において、読取対象となる原稿Ｇの枚数及びそのサイズがあらかじめわかっているような場合には、Ｓ２３の点灯条件に、点灯時間を加えることができる。ただし、この場合には、ＬＥＤ素子の点灯個数、点灯電流値、点灯時間と、温度との相関関係をあらかじめ実機を使用した実験によって求めておき、その結果をテーブルとして制御手段７０の記憶手段７０ｂに格納しておく必要があり、また、原稿Ｇの読取りに際して、作業者があらかじめ原稿の大きさ、枚数を操作パネルから入力することが必要となる。
【００７７】
上述の図７，図８，図９に示す例では、サーミスタによる温度検知を３０秒ごとに行う例を説明したが、この時間間隔は、実機に即して適宜に設定すればよい。例えば、単位時間当たりの原稿読取枚数が多い画像読取装置では、温度の上昇が早いので、この時間間隔を短く、逆に、単位時間当たりの原稿読取枚数が少ない画像読取装置では温度上昇が遅いので、時間間隔を長く設定するようにしてもよい。
【００７８】
上述の実施形態１，２，３においては、温度管理対象部材が光源１２である場合を説明したが、これに代えて、例えば、温度管理対象部材が光源用メイン基板２５やコンタクトガラス１８，１８ａである場合には、実施形態１，２では、ＬＥＤ素子の点灯個数や点灯時間とこれらの部材との相関関係を求めてテーブルとし、また実施形態３では、これらの部材の温度をサーミスタで直接検知するものとする。また、温度管理対象部材として、その部材の温度を直接、検知するのではなく、その周りの雰囲気温度を検知し、その検知結果に基づいて、冷却ファン７１の回転及び停止を制御するようにしてもよい。ただし、この場合には、温度管理対象部材と雰囲気温度との相関関係をあらかじめ求めておいたり、補正係数を設定したりしておく必要がある。
【００７９】
上述の実施形態１，２，３においては、管理する温度として、温度管理対象部材の部品仕様温度を採用したが、例えば、安全基準によってその部材の上限温度が設定されているような場合には、この安全基準を採用するようにしてもよい。なお、部品仕様温度と安全基準との双方が設定されている場合には、いずれか温度の低い方を採用するものとする。
【００８０】
上述の実施形態１，２，３では、ＬＥＤ素子Ｌ１〜Ｌ２２の点灯条件を個別に制御する場合について説明したが、実際には、画像読取り時には、ＬＥＤ素子は、いくつかまとめて点灯され、また消灯される。例えば、上述のように原稿ＧがＡ４縦通しの流し読みの場合、２２個のＬＥＤ素子Ｌ１〜Ｌ２２のうち、中央側のＬＥＤ素子Ｌ４〜Ｌ１９（第１グループ）が点灯され、外側のＬＥＤ素子Ｌ１〜Ｌ３（第２グループ）及びＬＥＤ素子Ｌ２０〜Ｌ２２（第３グループ）が消灯される。したがって、制御手段７０は、ＬＥＤ素子の点灯又は消灯を、上述のようなグループごとにまとめて制御するようにしてもよい。
【００８１】
＜実施形態４＞
図１０を参照して、本発明に係る画像読取装置１１を備えた画像形成装置１（本発明に係る画像形成装置）の一例を説明する。同図は、画像形成装置１を正面側から見た模式図である。なお、同図に示す画像形成装置１は、電子写真方式のプリンタ，複写機等の画像形成装置である。
【００８２】
同図に示すように、画像形成装置１には、シート給送部２と、画像形成部３と、定着部４と、シート排出部５とが設けてある。このうち、シート給送部２には、給紙カセット２ａ、給紙ローラ２ｂ、給送ローラ２ｃ、リタードローラ２ｄ、搬送ローラ２ｅ、レジストローラ２ｆ等が配設されている。給紙カセット２ａ内に積層状態で収納された複数枚のシートＰは、その最上位のものが、給送ローラ２ｂによって給紙され、給送ローラ２ｃ及びリタードローラ２ｄによって重送を防止されて１枚だけ下流側に給送される。さらには搬送ローラ対２ｅによって停止中のレジストローラ対２ｆに当接されて、斜行が矯正される。シートＰは、その後、画像形成部３の感光ドラム３ａ上に形成されたトナー像にタイミングを合わせるようにして、画像形成部３に供給される。
【００８３】
画像形成部３には、感光ドラム３ａ、帯電ローラ３ｂ、露光装置３ｃ、現像装置３ｄ、テンションローラ３ｅ、クリーニング装置３ｆ等が配設されている。感光ドラム３ａは、矢印方向（時計回り）に回転駆動され、帯電ローラ３ｂによって所定の極性・電位に一様に帯電される。帯電後の感光ドラム３ａは、露光装置３ｃによる露光により、露光部分の電荷が除去されて静電潜像が形成される。この露光は、上述の画像読取装置１１によって読み見取られた原稿の画像情報に基づいて行われる。
【００８４】
感光ドラム３ａ上に形成された静電潜像は、現像装置３ｄによってトナーが付着されてトナー像として現像される。
【００８５】
このトナー像は、感光ドラム３ａと転写ローラ３ｅとの間に形成される転写ニップ部において、上述のシート給送部２から供給されたシートＰに転写される。
【００８６】
トナー像転写後の感光ドラム３ａは、表面に残ったトナー（転写残トナー）がクリーニング装置３ｆによって除去され、次の画像形成に供される。
【００８７】
一方、トナー像転写後のシートＰは、定着部４において、定着ローラ４ａと加圧ローラ４ｂとに間に形成される定着ニップ部を通過する際に、加熱・加圧されて表面にトナー像が定着される。トナー像定着後のシートＰは、排紙ローラ対５ａによって、排紙トレイ５ｂ上に排出される。
【００８８】
上述の画像形成装置１においては、上述の画像読取装置１１における効果を、画像形成装置１として奏することができる。
【００８９】
なお、上述では、画像形成装置１が電子写真方式の画像形成装置である場合を例に説明したが、本発明はこれに限定されるものではなく、静電記録方式、インクジェット方式、ワイヤドット方式、熱転写方式等の画像形成装置に対しても適用することができる。
【産業上の利用可能性】
【００９０】
上述では、本発明を画像読取装置に使用する場合を例に説明したが、本発明は、これ以外に例えば、点光源を複数、ライン状に整列させて棒状の光源を構成する一般的な場合にも広く適用することができる。
【図面の簡単な説明】
【００９１】
【図１】画像読取装置の縦断面を正面側（前側）から見た図であり、光学系を説明する図である。
【図２】画像読取装置の縦断面を正面側（前側）から見た図であり、駆動系を説明する図である。
【図３】光源と原稿のサイズと画像読取時の原稿の位置との関係を説明する上面図であり、原稿サイズがＡ列，Ｂ列である場合を説明する図である。
【図４】光源と原稿のサイズと画像読取時の原稿の位置との関係を説明する上面図であり、原稿サイズがインチサイズである場合を説明する図である。
【図５】ＬＥＤ素子の点灯個数の違いによる、点灯時間を温度との関係を説明する図である。
【図６】光源の温度を上限設定温度と下限設定温度との間に収めるための、冷却ファンの回転及び停止のタイミングを説明する図である。
【図７】上限設定温度に基づいて、冷却ファンの回転及び停止を決定する流れを説明するフローチャートである。
【図８】上限設定温度及び下限設定温度に基づいて、冷却ファンの全速回転、半速回転、停止を決定する流れを説明するフローチャートである。
【図９】上限設定温度と、点灯条件からの予測とに基づいて、冷却ファンの全速回転、半速回転、停止を決定する流れを説明する図である。
【図１０】本発明に係る画像読取装置を備えた画像形成装置を正面側から見た模式図である。
【符号の説明】
【００９２】
１……画像形成装置、２……シート供給部、３……画像形成部、１０……照明装置、１１……画像読取装置、１２……光源（温度管理対象部材）、１３……結像レンズ、１４……ＣＣＤ（固体撮像素子、電流検知手段）、１５……駆動装置（移動装置）、１８，１８ａ……コンタクトガラス（温度管理対象部材）、２５……光源用メイン基板（温度管理対象部材）、６０……自動原稿給送装置（移動装置）、７０……制御手段、７０ａ……タイマ手段、７０ｂ……記憶手段、７０ｃ……電流検知手段、７１……冷却ファン、７２……給気ファン、７３……排気ファン、Ｇ……原稿、Ｌ１〜Ｌ２２……ＬＥＤ素子（光源素子）、Ｓ……収納室
【図１】
2008177664.tif 000003
【図２】
2008177664.tif 000004
【図３】
2008177664.tif 000005
【図４】
2008177664.tif 000006
【図５】
2008177664.tif 000007
【図６】
2008177664.tif 000008
【図７】
2008177664.tif 000009
【図８】
2008177664.tif 000010
【図９】
2008177664.tif 000011
【図１０】
2008177664.tif 000012